(57)【要約】【課題】  複数の通信方式の各プロトコルの機能を分離し、その分離された機能中、共通的な機能のための第１モジュール、及び非共通的な機能のための第２モジュールをそれぞれ実現することで、プロトコルの改善によるハードウェアの変更なしにマルチモードを支援できるマルチモードを支援する移動通信端末機を提供する。【解決手段】  複数の通信方式の各プロトコルで独立的に駆動される機能を実現する第１モジュール２２１と、前記複数の通信方式の各プロトコルで共通的に駆動される機能を実現する第２モジュール２２５と、を含んでマルチモードを支援する移動通信端末機を構成する。【選択図】  図１
2005117652.tif 000002
【特許請求の範囲】
【請求項１】
複数の通信方式の各プロトコルで独立的に駆動される機能を実現する第１モジュールと、
前記複数の通信方式の各プロトコルで共通的に駆動される機能を実現する第２モジュールと、
を含んで構成されることを特徴とするマルチモードを支援する移動通信端末機。
【請求項２】
前記複数の通信方式によって、前記第１モジュールと前記第２モジュールをインターフェースするＡＰＩ（Ａｐｐｌｉｃａｔｉｏｎ  Ｐｒｏｇｒａｍｍｉｎｇ  Ｉｎｔｅｒｆａｃｅ）部をさらに含むことを特徴とする請求項１に記載のマルチモードを支援する移動通信端末機。
【請求項３】
前記通信方式は、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）及びＴＤ−ＳＣＤＭＡ（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）を含むことを特徴とする請求項１に記載のマルチモードを支援する移動通信端末機。
【請求項４】
前記独立的に駆動される機能は、前記ＧＳＭ／ＧＰＲＳ方式だけの独特の機能であるＧＭＳＫ（Ｇａｕｓｓｉａｎ−ｆｉｌｔｅｒｅｄ  Ｍｉｎｉｍｕｍ  Ｓｈｉｆｔ  Ｋｅｙｉｎｇ）を含むことを特徴とする請求項３に記載のマルチモードを支援する移動通信端末機。
【請求項５】
前記独立的に駆動される機能は、前記ＷＣＤＭＡ方式だけの独特の機能であるＦＤＤ（Ｆｒｅｑｕｅｎｃｙ  Ｄｉｖｉｓｉｏｎ  Ｄｕｐｌｅｘ）を含むことを特徴とする請求項３に記載のマルチモードを支援する移動通信端末機。
【請求項６】
前記独立的に駆動される機能は、前記ＴＤ−ＳＣＤＭＡ方式だけの独特の機能であるハードハンドオーバー（Ｈａｒｄ  Ｈａｎｄｏｖｅｒ）、スマートアンテナ（Ｓｍａｒｔ  Ａｎｔｅｎｎａ）及び結合検出（Ｊｏｉｎｔ  Ｄｅｔｅｃｔｉｏｎ）を含むことを特徴とする請求項３に記載のマルチモードを支援する移動通信端末機。
【請求項７】
前記独立的に駆動される機能は、前記ＧＳＭ／ＧＰＲＳ方式と前記ＷＣＤＭＡ方式間に共通で、前記ＴＤ−ＳＣＤＭＡ方式とは非共通であるソフトハンドオーバーを含むことを特徴とする請求項３に記載のマルチモードを支援する移動通信端末機。
【請求項８】
前記独立的に駆動される機能は、前記ＷＣＤＭＡ方式と前記ＴＤ−ＳＣＤＭＡ方式間に共通で、前記ＧＳＭ／ＧＰＲＳ方式とは非共通であるＱＰＳＫ（Ｑｕａｄｒａｔｕｒｅ  Ｐｈａｓｅ  Ｓｈｉｆｔ  Ｋｅｙｉｎｇ）を含むことを特徴とする請求項３に記載のマルチモードを支援する移動通信端末機。
【請求項９】
前記独立的に駆動される機能は、前記ＴＤ−ＳＣＤＭＡ方式と前記ＧＳＭ／ＧＰＲＳ方式間に共通で、前記ＷＣＤＭＡ方式とは非共通であるＴＤＭＡ  （Ｔｉｍｅ  Ｄｉｖｉｓｉｏｎ  Ｍｕｌｔｉｐｌｅ  Ａｃｃｅｓｓ）を含むことを特徴とする請求項３に記載のマルチモードを支援する移動通信端末機。
【請求項１０】
前記共通的に駆動される機能は、前記ＧＳＭ／ＧＰＲＳ方式、前記ＷＣＤＭＡ方式及び前記ＴＤ−ＳＣＤＭＡ方式間に共通であるＣＲＣ（Ｃｙｃｌｉｃ  Ｒｅｄｕｎｄａｎｃｙ  Ｃｈｅｃｋ）、ターボデコーダ（Ｔｕｒｂｏ  Ｄｅｃｏｄｅｒ）及びレイク受信機（Ｒａｋｅ  Ｒｅｃｅｉｖｅｒ）を含むことを特徴とする請求項３に記載のマルチモードを支援する移動通信端末機。
【請求項１１】
前記第１モジュールは、ソフトウェアに実現されることを特徴とする請求項１に記載のマルチモードを支援する移動通信端末機。
【請求項１２】
前記第１モジュールは、ＳＤＲ（Ｓｏｆｔｗａｒｅ  Ｄｅｆｉｎｅｄ  Ｒａｄｉｏ）技術により実現されることを特徴とする請求項１１に記載のマルチモードを支援する移動通信端末機。
【請求項１３】
前記第２モジュールは、ハードウェアに実現されることを特徴とする請求項１に記載のマルチモードを支援する移動通信端末機。
【請求項１４】
前記独立的に駆動される機能を提供するための通信個体を前記第１モジュールとインターフェースする第１ＡＰＩ部及び第２ＡＰＩ部をさらに含むことを特徴とする請求項２に記載のマルチモードを支援する移動通信端末機。
【請求項１５】
前記通信個体は、無線網（Ｗｉｒｅｌｅｓｓ  Ｎｅｔｗｏｒｋ）、ＰＣ（Ｐｅｒｓｏｎａｌ  Ｃｏｍｐｕｔｅｒ）及びメモリカードを含むことを特徴とする請求項１４に記載のマルチモードを支援する移動通信端末機。
【請求項１６】
前記第１ＡＰＩ部は、前記無線網を通して受信された独立的に駆動されるプロトコルを、前記第１モジュールにダウンロードすることを特徴とする請求項１５に記載のマルチモードを支援する移動通信端末機。
【請求項１７】
前記第２ＡＰＩ部は、前記ＰＣに保存された独立的に駆動されるプロトコルを、前記第１モジュールにダウンロードすることを特徴とする請求項１５に記載のマルチモードを支援する移動通信端末機。
【請求項１８】
前記ＡＰＩ部は、前記メモリカードに保存された独立的に駆動されるプロトコルを、前記第１モジュールにダウンロードすることを特徴とする請求項１５に記載のマルチモードを支援する移動通信端末機。
【請求項１９】
前記メモリカードは、メモリスティック（Ｍｅｍｏｒｙ  Ｓｔｉｃｋ）、スマートメディア（Ｓｍａｒｔ  Ｍｅｄｉａ（登録商標））及びコンパクトフラッシュ（登録商標）（Ｃｏｍｐａｃｔ  Ｆｌａｓｈ）中の何れか一つであることを特徴とする請求項１８に記載のマルチモードを支援する移動通信端末機。
【発明の詳細な説明】
【技術分野】
【０００１】
本発明は、移動通信端末機に関するもので、詳しくは、ＧＳＭ／ＧＰＲＳ、ＴＤ−ＳＣＤＭＡ及びＷＣＤＭＡ通信方式のマルチモードを支援する移動通信端末機に関するものである。
【背景技術】
【０００２】
一般に、移動通信端末機（Ｍｏｂｉｌｅ  Ｃｏｍｍｕｎｉｃａｔｉｏｎ  Ｔｅｒｍｉｎａｌ）は、ＢＳ（Ｂａｓｅ  Ｓｔａｔｉｏｎ）により形成されるサービス領域内で移動しながら、ＭＳＣ（Ｍｏｂｉｌｅ  Ｓｗｉｔｃｈｉｎｇ  Ｃｅｎｔｅｒ）のスイッチング制御により、何時何処でも直ちに相手方を無線呼出及び無線接続して通信する装置であって、移動通信の飛躍的な発展に伴い、全世界的にマルチモードを受け入れているだけでなく小型化する傾向にある。且つ、前記マルチモードには、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）及びＴＤ−ＳＣＤＭＡ（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）などの通信方式が含まれる。
【０００３】
以下、このようなマルチモード中、特にトリプル（Ｔｒｉｐｌｅ）モードを支援する従来の移動通信端末機の構成について図３を参照して説明する。
【０００４】
図３は、従来のマルチモードを支援する移動通信端末機の構成を示したブロック図で、図示されたように、従来のマルチモードを支援する移動通信端末機は、ＲＦ（Ｒａｄｉｏ  Ｆｒｅｑｕｅｎｃｙ）フロント−エンド部１１０、ＲＦ送受信部１２０、アナログベースバンドプロセッサ１３０、デジタルベースバンドプロセッサ１４０及びマルチメディアプロセッサ１５０を含んで構成されている。ここで、前記ＲＦ送受信部１２０は、ＧＳＭ／ＧＰＲＳ通信方式用の第１ＲＦ送受信部１２１、ＴＤ−ＳＣＤＭＡ通信方式用の第２ＲＦ送受信部１２３及びＷＣＤＭＡ通信方式用の第３ＲＦ送受信部１２５から構成される。
【０００５】
以下、このように構成された従来のマルチモードを支援する移動通信端末機の動作原理を説明する。
【０００６】
まず、前記ＲＦフロント−エンド部１１０は、アンテナを通して受信された信号をＲＦスイッチまたはデュプレクサなどを通して分離し、該分離された信号を前記ＲＦ送受信部１２０に送信するか、または前記ＲＦ送受信部１２０から出力されたＲＦ信号を前記ＲＦスイッチ或いはデュプレクサを通して前記アンテナに送信する。
【０００７】
また、前記ＲＦ送受信部１２０は、比較的周波数の低いアナログベースバンド信号をＶＣＯ（Ｖｏｌｔａｇｅ  Ｃｏｎｔｒｏｌｌｅｄ  Ｏｓｃｉｌｌａｔｏｒ）または周波数ミキサを通して高周波数に変えるか、高周波数を比較的周波数の低いアナログベースバンド信号に変える機能をし、マルチモードを支援するように、ＧＳＭ／ＧＰＲＳ通信方式用の第１ＲＦ送受信部１２１、ＴＤ−ＳＣＤＭＡ通信方式用の第２ＲＦ送受信部１２３及びＷＣＤＭＡ通信方式用の第３ＲＦ送受信部１２５から構成される。
【０００８】
また、前記アナログベースバンドプロセッサ１３０は、低い周波数のアナログ信号を処理するプロセッサで、前記デジタルベースバンドプロセッサ１４０は、前記アナログベースバンドプロセッサ１３０により処理されたアナログ信号をデジタル信号化するプロセッサである。ここで、前記デジタルベースバンドプロセッサ１４０は、一般にモデムを示す。
【０００９】
また、前記マルチメディアプロセッサ１５０は、通信用プロセッサでなく、比較的処理容量が大きくて別途のプロセッサを必要とするマルチメディア音楽やグラフィックなどを処理するための別途のプロセッサであって、マルチメディアサービスの強化に従って追加的に必要なプロセッサである。
【００１０】
即ち、未だ３世代通信方式を含む多様な標準を支援する単一モデムチップが開発されていないため、従来のマルチモードを支援する移動通信端末機においては、三つ以上の通信方式を支援するために、各通信方式別にプロトコルを区分して処理する三つのＲＦ送受信部１２１、１２３、１２５が使用される。ここで、前記プロトコルは、ネットワークソフトウェアの核心として、二つ以上の通信個体間に交換されるメッセージの形態、意味、伝送順序、メッセージの送受信及びその他の事件に行うべき動作を定義した規約をいう。
【発明の開示】
【発明が解決しようとする課題】
【００１１】
しかしながら、このような従来のマルチモードを支援する移動通信端末機においては、マルチモードを支援するための複数のＲＦ送受信部を構成するため、各モード別の標準と関連したプロトコルを改善する場合、一々ハードウェアを変更しなければならないため、移動通信端末機の回路及び印刷回路基板（Ｐｒｉｎｔｅｄ  Ｃｉｒｃｕｉｔ  Ｂｏａｒｄ；ＰＣＢ）が複雑になるという不都合な点があった。
【００１２】
本発明は、このような従来の課題に鑑みてなされたもので、複数の通信方式の各プロトコルの機能を分離し、その分離された機能中、共通的な機能のための第１モジュール、及び非共通的な機能のための第２モジュールをそれぞれ実現することで、プロトコルの改善によるハードウェアの変更なしにマルチモードを支援できるマルチモードを支援する移動通信端末機を提供することを目的とする。
【課題を解決するための手段】
【００１３】
本発明の移動通信端末機は、複数の通信方式の各プロトコルで独立的に駆動される機能を実現する第１モジュールと、前記複数の通信方式の各プロトコルで共通的に駆動される機能を実現する第２モジュールと、を含んで構成されることを特徴とするマルチモードを支援することにより上記目的を達成する。
【００１４】
前記複数の通信方式によって、前記第１モジュールと前記第２モジュールをインターフェースするＡＰＩ（Ａｐｐｌｉｃａｔｉｏｎ  Ｐｒｏｇｒａｍｍｉｎｇ  Ｉｎｔｅｒｆａｃｅ）部をさらに含むことを特徴としてもよい。
【００１５】
前記通信方式は、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）及びＴＤ−ＳＣＤＭＡ（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）を含むことを特徴としてもよい。
【００１６】
前記独立的に駆動される機能は、前記ＧＳＭ／ＧＰＲＳ方式だけの独特の機能であるＧＭＳＫ（Ｇａｕｓｓｉａｎ−ｆｉｌｔｅｒｅｄ  Ｍｉｎｉｍｕｍ  Ｓｈｉｆｔ  Ｋｅｙｉｎｇ）を含むことを特徴としてもよい。
【００１７】
前記独立的に駆動される機能は、前記ＷＣＤＭＡ方式だけの独特の機能であるＦＤＤ（Ｆｒｅｑｕｅｎｃｙ  Ｄｉｖｉｓｉｏｎ  Ｄｕｐｌｅｘ）を含むことを特徴としてもよい。
【００１８】
前記独立的に駆動される機能は、前記ＴＤ−ＳＣＤＭＡ方式だけの独特の機能であるハードハンドオーバー（Ｈａｒｄ  Ｈａｎｄｏｖｅｒ）、スマートアンテナ（Ｓｍａｒｔ  Ａｎｔｅｎｎａ）及び結合検出（Ｊｏｉｎｔ  Ｄｅｔｅｃｔｉｏｎ）を含むことを特徴としてもよい。
【００１９】
前記独立的に駆動される機能は、前記ＧＳＭ／ＧＰＲＳ方式と前記ＷＣＤＭＡ方式間に共通で、前記ＴＤ−ＳＣＤＭＡ方式とは非共通であるソフトハンドオーバーを含むことを特徴としてもよい。
【００２０】
前記独立的に駆動される機能は、前記ＷＣＤＭＡ方式と前記ＴＤ−ＳＣＤＭＡ方式間に共通で、前記ＧＳＭ／ＧＰＲＳ方式とは非共通であるＱＰＳＫ（Ｑｕａｄｒａｔｕｒｅ  Ｐｈａｓｅ  Ｓｈｉｆｔ  Ｋｅｙｉｎｇ）を含むことを特徴としてもよい。
【００２１】
前記独立的に駆動される機能は、前記ＴＤ−ＳＣＤＭＡ方式と前記ＧＳＭ／ＧＰＲＳ方式間に共通で、前記ＷＣＤＭＡ方式とは非共通であるＴＤＭＡ  （Ｔｉｍｅ  Ｄｉｖｉｓｉｏｎ  Ｍｕｌｔｉｐｌｅ  Ａｃｃｅｓｓ）を含むことを特徴としてもよい。
【００２２】
前記共通的に駆動される機能は、前記ＧＳＭ／ＧＰＲＳ方式、前記ＷＣＤＭＡ方式及び前記ＴＤ−ＳＣＤＭＡ方式間に共通であるＣＲＣ（Ｃｙｃｌｉｃ  Ｒｅｄｕｎｄａｎｃｙ  Ｃｈｅｃｋ）、ターボデコーダ（Ｔｕｒｂｏ  Ｄｅｃｏｄｅｒ）及びレイク受信機（Ｒａｋｅ  Ｒｅｃｅｉｖｅｒ）を含むことを特徴としてもよい。
【００２３】
前記第１モジュールは、ソフトウェアに実現されることを特徴としてもよい。
【００２４】
前記第１モジュールは、ＳＤＲ（Ｓｏｆｔｗａｒｅ  Ｄｅｆｉｎｅｄ  Ｒａｄｉｏ）技術により実現されることを特徴としてもよい。
【００２５】
前記第２モジュールは、ハードウェアに実現されることを特徴としてもよい。
【００２６】
前記独立的に駆動される機能を提供するための通信個体を前記第１モジュールとインターフェースする第１ＡＰＩ部及び第２ＡＰＩ部をさらに含むことを特徴としてもよい。
【００２７】
前記通信個体は、無線網（Ｗｉｒｅｌｅｓｓ  Ｎｅｔｗｏｒｋ）、ＰＣ（Ｐｅｒｓｏｎａｌ  Ｃｏｍｐｕｔｅｒ）及びメモリカードを含むことを特徴としてもよい。
【００２８】
前記第１ＡＰＩ部は、前記無線網を通して受信された独立的に駆動されるプロトコルを、前記第１モジュールにダウンロードすることを特徴としてもよい。
【００２９】
前記第２ＡＰＩ部は、前記ＰＣに保存された独立的に駆動されるプロトコルを、前記第１モジュールにダウンロードすることを特徴としてもよい。
【００３０】
前記ＡＰＩ部は、前記メモリカードに保存された独立的に駆動されるプロトコルを、前記第１モジュールにダウンロードすることを特徴としてもよい。
【００３１】
前記メモリカードは、メモリスティック（Ｍｅｍｏｒｙ  Ｓｔｉｃｋ）、スマートメディア（Ｓｍａｒｔ  Ｍｅｄｉａ（登録商標））及びコンパクトフラッシュ（登録商標）（Ｃｏｍｐａｃｔ  Ｆｌａｓｈ）中の何れか一つであることを特徴としてもよい。
【００３２】
このような目的を達成するため、本発明に係るマルチモードを支援する移動通信端末機は、複数の通信方式の各プロトコルで独立的に駆動される機能を実現する第１モジュールと、前記複数の通信方式の各プロトコルで共通的に駆動される機能を実現する第２モジュールと、を含んで構成されることを特徴とする。
【発明の効果】
【００３３】
本発明に係るマルチモードを支援する移動通信端末機においては、マルチモードの各プロトコルの機能を分離し、その分離された機能中、共通的な機能のための第１モジュール、及び非共通的な機能のための第２モジュールをそれぞれ実現することで、プロトコルの改善によるハードウェアの変更なしにマルチモードを支援できるという効果がある。
【発明を実施するための最良の形態】
【００３４】
以下、複数の通信方式の各プロトコルの機能を分離し、その分離された機能中、共通的な機能のための第１モジュール、及び非共通的な機能のための第２モジュールをそれぞれ実現することで、プロトコルの改善によるハードウェアの変更なしにマルチモードを支援できる、本発明に係るマルチモードを支援する移動通信端末機の最良の形態について図１及び図２を参照して説明する。
【００３５】
即ち、本発明は、ＳＤＲ（Ｓｏｆｔｗａｒｅ  Ｄｅｆｉｎｅｄ  Ｒａｄｉｏ）技術を利用して、ＧＳＭ／ＧＰＲＳ、ＷＣＤＭＡ及びＴＤ−ＳＣＤＭＡの三つの通信方式を一つの移動通信端末機で支援できるように、マルチモードを支援する移動通信端末機を提案する。ここで、前記ＳＤＲ技術とは、プロセッサで実行されるソフトウェアプログラムを変更することで、ネットワークプロトコル、動作周波数、変調方式及び帯域幅などをハードウェアの交替なしに容易に変更する技術をいう。
【００３６】
従って、本発明に係るマルチモードを支援する移動通信端末機は、前記三つの通信方式の共通部分を最大化してこれをハードウェアに実現し、前記三つの通信方式で独立的に行われる各部分は差別的にソフトウェア（例えば、前記ＳＤＲ技術）に実現する。
【００３７】
以下、このように実現される本発明に係るマルチモードを支援する移動通信端末機の構成について図１を参照して説明する。
【００３８】
図１は、本発明に係るマルチモードを支援する移動通信端末機の構成を示したブロック図で、図示されたように、本発明に係るマルチモードを支援する移動通信端末機は、アンテナを通してＲＦ信号を受信するＲＦ及びアナログベースバンド部２１０、前記受信されたＲＦ信号を複数の通信方式によって処理するデジタルベースバンドプロセッサ２２０及びマルチメディアプロセッサ２３０を含んで構成される。ここで、前記デジタルベースバンドプロセッサ２２０は、複数の通信方式の各プロトコルで独立的に支援する機能を実現する第１モジュール２２１と、前記複数の通信方式の各プロトコルで共通的に支援する機能を実現する第２モジュール２２５と、前記複数の通信方式によって前記第１モジュールと前記第２モジュールをインターフェースするＡＰＩ（Ａｐｐｌｉｃａｔｉｏｎ  Ｐｒｏｇｒａｍｍｉｎｇ  Ｉｎｔｅｒｆａｃｅ）部２２３と、を含んで構成される。
【００３９】
以下、このように構成された本発明に係るマルチモードを支援する移動通信端末機の構成をより詳しく説明する。
【００４０】
まず、前記ＲＦ及びアナログベースバンド部２１０は、アンテナを通して伝送されたＲＦ信号を前記デジタルベースバンドプロセッサ２２０に伝送するために、従来のＲＦフロント−エンド部、ＲＦ送受信部及びアナログベースバンドプロセッサの機能を全て含むハードウェアにより構成される。
【００４１】
また、前記デジタルベースバンドプロセッサ２２０は、複数の通信方式の各標準プロトコルで独立的に支援する機能を実現する第１モジュール２２１と、各プロトコルで共通的に支援する機能を実現する第２モジュール２２５と、前記通信方式によって前記第１モジュール２２１と前記第２モジュール２２５をインターフェースするＡＰＩ部２２３と、を含んで構成される。ここで、前記第１モジュール２２１は、ハードウェアモデムに実現され、前記第２モジュール２２５は、ソフトウェアモデムに実現される。且つ、前記ＡＰＩ部２２３は、ハードウェア間のインターフェース、ソフトウェア間のインターフェース、及びハードウェアとソフトウェア間のインターフェースを全て含んでいる。
【００４２】
また、前記マルチメディアプロセッサ２３０は、通信のためのプロセッサでなく、比較的処理容量が大きくて別途のプロセッサを必要とするマルチメディア音楽やグラフィックなどを処理するための別途のプロセッサであって、マルチメディアサービスが強化するに従って追加的に必要なプロセッサである。
【００４３】
一方、移動通信端末機の通信方式の変更によって前記第１モジュール２２１に保存されたプロトコル（プロトコルスタック及び物理階層）を再構成（変更）するために、改善されたプロトコルのダウンロード方法によって、第１ＡＰＩ部２２１１、第２ＡＰＩ部２２１３及びメモリカード２２３１が追加で含まれる。即ち、前記第１ＡＰＩ部２２１１は、空中インターフェースを通して受信された非共通プロトコルを前記第１モジュール２２１にダウンロードし、前記第２ＡＰＩ部２２１３は、ＰＣ（Ｐｅｒｓｏｎａｌ  Ｃｏｍｐｕｔｅｒ）に保存された非共通プロトコルを前記第１モジュール２２１にダウンロードするために用いられる。
【００４４】
且つ、前記ＡＰＩ部２２３は、前記メモリカード２２３１に保存された非共通プロトコルを前記第１モジュール２２１にダウンロードする。ここで、前記メモリカード２２３１は、メモリスティック（Ｍｅｍｏｒｙ  Ｓｔｉｃｋ）、スマートメディア（Ｓｍａｒｔ  Ｍｅｄｉａ（登録商標））及びコンパクトフラッシュ（登録商標）（Ｃｏｍｐａｃｔ  Ｆｌａｓｈ）中の何れか一つにより構成される。
【００４５】
以下、このように構成された本発明に係るマルチモードを支援する移動通信端末機の動作原理について図２を参照して説明する。
【００４６】
図２は、本発明に係るマルチモードを支援する移動通信端末機の動作原理を説明するためのグラフで、図示されたように、本発明に係るマルチモードを支援する移動通信端末機は、複数の通信方式の各プロトコルの機能を分析して、共通的な機能と非共通的な機能とに分離することで、前記共通的な機能のための第１モジュール、及び前記非共通的な機能のための第２モジュールを実現できるようになっている。従って、前記移動通信端末機は、前記ハードウェアモデムに実現された第２モジュール、及び前記ソフトウェアモデムに実現された第１モジュールに基づいて、複数の通信方式のマルチモードを支援することができる。
【００４７】
以下、このような本発明に係るマルチモードを支援する移動通信端末機の動作原理を説明する。
【００４８】
まず、本発明に係るマルチモードを支援する移動通信端末機は、前記ＧＳＭ／ＧＰＲＳ、ＴＤ−ＳＣＤＭＡ及びＷＣＤＭＡ通信方式のプロトコル中、共通的な機能をハードウェアモデムに実現し、独立的な機能を差別的なＳＤＲ技術を利用してソフトウェアモデムに実現する。
【００４９】
このとき、前記三つの通信方式中、前記ＷＣＤＭＡ方式は、前記ＧＳＭ方式から進化した３世代標準で、前記ＴＤ−ＳＣＤＭＡ方式は、前記ＧＳＭ方式と類似したＴＳＭ（ＴＤ−ＳＣＤＭＡ  Ｓｙｓｔｅｍｓ  ｆｏｒ  Ｍｏｂｉｌｅ  Ｔｅｌｅｃｏｍｍｕｎｉｃａｔｉｏｎ）方式という２．５世代を経て作られた３世代標準であり、特に、前記ＷＣＤＭＡ方式とＴＤ−ＳＣＤＭＡ方式とは、ＣＤＭＡ方式という共通特性を含んでいるため、相当部分で互いに共通要素を有している。
【００５０】
前記ＷＣＤＭＡ方式及びＴＤ−ＳＣＤＭＡ方式において、領域Ｅ及び領域Ａに該当する部分は、それぞれ第２階層Ｌ２及び第３階層Ｌ３のプロトコルとして殆ど９０％が同様である。特に、多重アクセス（Ｍｕｌｔｉｐｌｅ  Ａｃｃｅｓｓ）の場合、前記ＷＣＤＭＡは、「ＦＤＤ＋ＣＤＭＡ」方式を用い、前記ＴＤ−ＳＣＤＭＡは、「ＴＤＤ＋ＴＤＭＡ＋ＣＤＭＡ」方式を用いるため、領域ＥはＣＤＭＡに該当し、領域ＢはＦＤＤ（Ｆｒｅｑｕｅｎｃｙ  Ｄｉｖｉｓｉｏｎ  Ｄｕｐｌｅｘ）に該当し、領域ＣはＴＤＤ（Ｔｉｍｅ  Ｄｉｖｉｓｉｏｎ  Ｄｕｐｌｅｘ）に該当するとみなすことができる。
【００５１】
例えば、領域Ａは、前記ＧＳＭ／ＧＰＲＳ、ＴＤ−ＳＣＤＭＡ及びＷＣＤＭＡの三つの通信方式の共通部分で、ＣＲＣ（Ｃｙｃｌｉｃ  Ｒｅｄｕｎｄａｎｃｙ  Ｃｈｅｃｋ）、ターボデコーダ（Ｔｕｒｂｏ  Ｄｅｃｏｄｅｒ）及びレイク受信機（Ｒａｋｅ  Ｒｅｃｅｉｖｅｒ）などを含むように一つの単一チップに実現される。
【００５２】
また、領域Ｂは、前記ＷＣＤＭＡ方式だけの独特の部分でＦＤＤ方式を、領域Ｃは、前記ＴＤ−ＳＣＤＭＡ方式だけの独特の部分でハードハンドオーバー（Ｈａｒｄ  Ｈａｎｄｏｖｅｒ）方式、スマートアンテナ（Ｓｍａｒｔ  Ａｎｔｅｎｎａ）及び結合検出（Ｊｏｉｎｔ  Ｄｅｔｅｃｔｉｏｎ）方式を、領域Ｄは、前記ＧＳＭ／ＧＰＲＳ方式だけのの独特の部分でＧＭＳＫ（Ｇａｕｓｓｉａｎ−ｆｉｌｔｅｒｅｄ  Ｍｉｎｉｍｕｍ  Ｓｈｉｆｔ  Ｋｅｙｉｎｇ）方式をそれぞれ含むことができる。
【００５３】
また、領域Ｅは、前記ＴＤ−ＳＣＤＭＡ方式とＷＣＤＭＡ方式との共通部分で、ＱＰＳＫ（Ｑｕａｄｒａｔｕｒｅ  Ｐｈａｓｅ  Ｓｈｉｆｔ  Ｋｅｙｉｎｇ）方式を、領域Ｆは、前記ＧＳＭ／ＧＰＲＳとＴＤ−ＳＣＤＭＡ方式との共通部分でＴＤＭＡ方式を、領域Ｇは、前記ＧＳＭ／ＧＰＲＳ方式とＷＣＤＭＡ方式との共通部分でソフトハンドオーバー（Ｓｏｆｔ  Ｈａｎｄｏｖｅｒ）方式をそれぞれ含むことができる。
【００５４】
従って、移動通信端末機の場合、ＧＳＭ／ＧＰＲＳ、ＴＤ−ＳＣＤＭＡ及びＷＣＤＭＡ通信方式に対し、移動通信端末機の各階層プロトコルの機能を分離し、その分離された機能をモジュール化した後、共通的に使用可能なモジュールはハードウェアモデムにＩＣ（Ｉｎｔｅｇｒａｔｅｄ  Ｃｉｒｃｕｉｔ）化またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）化し、ＲＦフロント−エンド部及びアナログベースバンドプロセッサを含むハードウェアも、最大限共通に使用可能な部分は前記ハードウェアモデムに構成して共用化する。
【００５５】
しかしながら、共通的に使用不可能なモジュール、即ち、非共通プロトコルは、ソフトウェアモデムに実現することで、該ソフトウェアモデムは、前記通信方式の改善によって何時でも再構成（変更）することができるように構成する。
【００５６】
このように構成された本発明に係るマルチモードを支援する移動通信端末機は、最小化したハードウェア機能を提供することで、移動通信端末機を小型化し、一つの移動通信端末機でＧＳＭ／ＧＰＲＳ、ＴＤ−ＳＣＤＭＡ及びＷＣＤＭＡ通信方式のサービスを同時に提供することができる。特に、本発明に係るマルチモードを支援する移動通信端末機は、大きく三つに区分されるダウンロード方法を利用して、前記ＧＳＭ／ＧＰＲＳ、ＴＤ−ＳＣＤＭＡ及びＷＣＤＭＡ通信方式中の何れか一つの通信方式に変更して使用することができるだけでなく、技術の発展に伴って更新される標準やアプリケーションも、ハードウェアの変更なしに容易に適用することができる。
【００５７】
以下、前記ＷＣＤＭＡ方式から前記ＴＤ−ＳＣＤＭＡ方式にマルチモードを変更する場合を説明する。
【００５８】
まず、前記第２モジュールは、一つの単一チップとしてＧＳＭ／ＧＰＲＳ、ＴＤ−ＳＣＤＭＡ及びＷＣＤＭＡ通信方式の共通部分が実現されているため、前記第１モジュールには、前記ＷＣＤＭＡ方式の非共通部分、即ち、前記ＷＣＤＭＡ方式の非共通プロトコルがダウンロードされる。
【００５９】
このとき、前記ＷＣＤＭＡ方式だけでなく、前記ＧＳＭ／ＧＰＲＳ及びＴＤ−ＳＣＤＭＡ通信方式の非共通プロトコルのダウンロードは、前記第１ＡＰＩ部、第２ＡＰＩ部及びメモリカード中の何れか一つにより行われる。即ち、前記ＷＣＤＭＡ方式の非共通プロトコルは、１．  前記第１ＡＰＩ部により既存のＷＣＤＭＡ方式の無線網を通してダウンロードされ、２．  前記第２ＡＰＩ部によりＰＣを通してダウンロードされ、３．  前記メモリカードを通してダウンロードされる。
【００６０】
このようにして、前記第１モジュールに前記ＷＣＤＭＡの非共通プロトコルが全てダウンロードされるとき、前記ＡＰＩ部が前記第２モジュールと前記第１モジュールをインターフェースすることで、前記ＡＰＩ部により前記ＷＣＤＭＡ方式の共通部分と非共通部分が結合されるため、前記移動通信端末機は、前記ＷＣＤＭＡ通信方式の全ての機能を円滑に遂行できるようになる。
【００６１】
その後、前記移動通信端末機は、通信方式を前記ＷＣＤＭＡ方式から前記ＴＤ−ＳＣＤＭＡ方式に変更する場合、前記第１モジュールを通して前記ＴＤ−ＳＣＤＭＡ方式の非共通プロトコルをダウンロードすれば良い。このとき、前記ＴＤ−ＳＣＤＭＡ方式の非共通プロトコルのダウンロードは、前記第１ＡＰＩ部、第２ＡＰＩ部及びメモリカード中の何れか一つにより行われる。
【００６２】
次いで、前記ＡＰＩ部が前記第２モジュールと前記第１モジュールをインターフェースすることで、前記第２モジュールに保存された前記ＴＤ−ＳＣＤＭＡ方式の共通プロトコルと前記第１モジュールにダウンロードされた前記ＴＤ−ＳＣＤＭＡ方式の非共通プロトコルが結合されるため、前記移動通信端末機は、前記ＴＤ−ＳＣＤＭＡ通信方式の全ての機能を円滑に遂行できるようになる。
【００６３】
以上、前記ＷＣＤＭＡ方式から前記ＴＤ−ＳＣＤＭＡ方式にモードを変更する場合を説明したが、これに限定されることなく、前記ＧＳＭ／ＧＰＲＳ、ＴＤ−ＳＣＤＭＡ及びＷＣＤＭＡ間の通信モードの変更も前述の方法により行うことができる。
【００６４】
結局、本発明に係るマルチモードを支援する移動通信端末機は、前記ＧＳＭ／ＧＰＲＳ、ＴＤ−ＳＣＤＭＡ及びＷＣＤＭＡ通信方式中何れか一つの方式への変更が可能であるだけでなく、日々発展する事項及びアプリケーション使用者環境を、前記移動通信端末機のハードウェアの変更なしに使用者がリアルタイムに適用させることができる。
【００６５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【００６６】
複数の通信方式の各プロトコルの機能を分離し、その分離された機能中、共通的な機能のための第１モジュール、及び非共通的な機能のための第２モジュールをそれぞれ実現することで、プロトコルの改善によるハードウェアの変更なしにマルチモードを支援できるマルチモードを支援する移動通信端末機を提供する。
【００６７】
複数の通信方式の各プロトコルで独立的に駆動される機能を実現する第１モジュール２２１と、前記複数の通信方式の各プロトコルで共通的に駆動される機能を実現する第２モジュール２２５と、を含んでマルチモードを支援する移動通信端末機を構成する。
【図面の簡単な説明】
【００６８】
【図１】本発明に係るマルチモードを支援する移動通信端末機の構成を示したブロック図である。
【図２】本発明に係るマルチモードを支援する移動通信端末機の動作原理を説明するためのグラフである。
【図３】従来のマルチモードを支援する移動通信端末機の構成を示したブロック図である。
【符号の説明】
【００６９】
２１０  ＲＦ及びアナログベースバンド部
２２０  デジタルベースバンドプロセッサ
２３０  マルチメディアプロセッサ
２２１  第１モジュール
２２１１  第１ＡＰＩ部
２２１３  第２ＡＰＩ部
２２３  ＡＰＩ部
２２３１  メモリカード
２２５  第２モジュール
【図１】
2005117652.tif 000003
【図２】
2005117652.tif 000004
【図３】
2005117652.tif 000005